【手続補正書】
【提出日】平成18年1月11日(2006.1.11)
【手続補正１】
【補正対象書類名】明細書
【補正対象項目名】請求項１７
【補正方法】変更
【補正の内容】
【請求項１７】  請求項１２に記載の化合物または薬剤的に受容しうるその塩を含む、アゴニスト作用を必要とする被験者において１種または複数のソマトスタチンサブタイプ受容体からアゴニスト作用を誘発するための薬剤組成物。
【手続補正２】
【補正対象書類名】明細書
【補正対象項目名】請求項１８
【補正方法】変更
【補正の内容】
【請求項１８】  請求項１２に記載の化合物または薬剤的に受容しうるその塩を含む、アンタゴニスト作用を必要とする被験者において１種または複数のソマトスタチンサブタイプ受容体からアンタゴニスト作用を誘発するための薬剤組成物。
【手続補正３】
【補正対象書類名】明細書
【補正対象項目名】請求項１９
【補正方法】変更
【補正の内容】
【請求項１９】  請求項１２に記載の化合物または薬剤的に受容しうるその塩を含む、ソマトスタチンサブタイプ受容体の結合を必要とする被験者において１種または複数のソマトスタチンサブタイプ受容体を結合するための薬剤組成物。
【手続補正４】
【補正対象書類名】明細書
【補正対象項目名】請求項２０
【補正方法】変更
【補正の内容】
【請求項２０】  請求項１２に記載の化合物または薬剤的に受容しうるその塩を含む、先端巨大症、再狭窄、クローン病、全身性皮膚硬化症、膵臓の外面および内面における偽性のう胞と腹水、ＶＩＰ産生腫瘍、ネシドブラストシス、高インスリン症、ガストリン産生腫瘍、ゾリンジャー・エリソン症候群、下痢、ＡＩＤＳに関連する下痢、化学療法に関連する下痢、皮膚硬化症、過敏腸管症候群、膵臓炎、小腸閉塞症、食道還流、十二指腸還流、クッシング症候群、性腺刺激ホルモン、上皮小体機能抗進症、グレーヴス病、糖尿病性神経障害、パジェット病、多のう胞性卵巣疾患、がん、がんに関連する悪液質、低血圧症、食後低血圧症、パニック発作、ＧＨを分泌する腺腫またはＴＳＨを分泌する腺腫の治療用薬剤組成物。
【手続補正５】
【補正対象書類名】明細書
【補正対象項目名】請求項２１
【補正方法】変更
【補正の内容】
【請求項２１】  請求項１２に記載の化合物または薬剤的に受容しうるその塩を含む、真性糖尿病、高脂質血症、インスリン非感受性、Ｘ症候群、脈管障害、増殖性網膜症、あけぼの現象、腎症、消化性潰瘍、腸皮フィステルおよび膵皮フィステル、ダンピング症候群、水様下痢症候群、急性または慢性の膵臓炎、胃腸ホルモンを分泌する腫瘍、脈管形成、炎症性疾患、慢性同種移植片拒絶反応、血管形成、移植血管出血または胃腸管出血の治療用薬剤組成物。
【手続補正６】
【補正対象書類名】明細書
【補正対象項目名】請求項２２
【補正方法】変更
【補正の内容】
【請求項２２】  請求項１２に記載の化合物または薬剤的に受容しうるその塩を含む、ヘリコバクターピロリの増殖阻害を必要とする被験者においてこれを抑制するための薬剤組成物。
【手続補正７】
【補正対象書類名】明細書
【補正対象項目名】請求項２３
【補正方法】変更
【補正の内容】
【請求項２３】  請求項１に記載の化合物または薬剤的に受容しうるその塩を含む、ナトリウムチャンネルの遮断を必要とする被験者においてこれを遮断するための薬剤組成物。
【手続補正８】
【補正対象書類名】明細書
【補正対象項目名】請求項２４
【補正方法】変更
【補正の内容】
【請求項２４】  請求項１２に記載の化合物または薬剤的に受容しうるその塩を含む、ナトリウムチャンネルの遮断を必要とする被験者においてこれを遮断するための薬剤組成物。
【手続補正９】
【補正対象書類名】明細書
【補正対象項目名】請求項２５
【補正方法】変更
【補正の内容】
【請求項２５】  請求項１に記載の化合物または薬剤的に受容しうるその塩を含む、神経障害性の痛みの緩和を必要とする被験者においてこれを緩和するための薬剤組成物。
【手続補正１０】
【補正対象書類名】明細書
【補正対象項目名】請求項２６
【補正方法】変更
【補正の内容】
【請求項２６】  請求項１２に記載の化合物または薬剤的に受容しうるその塩を含む、神経障害性の痛みの緩和を必要とする被験者においてこれを緩和するための薬剤組成物。
【手続補正１１】
【補正対象書類名】明細書
【補正対象項目名】請求項２７
【補正方法】変更
【補正の内容】
【請求項２７】  局所麻酔薬として用いられる薬剤組成物であって、請求項１に記載の化合物または薬剤的に受容しうるその塩、および所望により薬剤的に受容しうる担体を含む組成物。
【手続補正１２】
【補正対象書類名】明細書
【補正対象項目名】請求項２８
【補正方法】変更
【補正の内容】
【請求項２８】  局所麻酔薬として用いられる薬剤組成物であって、請求項１２に記載の化合物または薬剤的に受容しうるその塩、および所望により薬剤的に受容しうる担体を含む組成物。
【手続補正１３】
【補正対象書類名】明細書
【補正対象項目名】請求項２９
【補正方法】変更
【補正の内容】
【請求項２９】  請求項１に記載の化合物または薬剤的に受容しうるその塩を含む、発症因子におけるグルタミン酸放出に関するあらゆる病状、疾患または臨床状態の治療用薬剤組成物。
【手続補正１４】
【補正対象書類名】明細書
【補正対象項目名】請求項３０
【補正方法】変更
【補正の内容】
【請求項３０】  請求項１２に記載の化合物または薬剤的に受容しうるその塩を含む、発症因子におけるグルタミン酸放出に関するあらゆる病状、疾患または臨床状態の治療用薬剤組成物。
【手続補正１５】
【補正対象書類名】明細書
【補正対象項目名】請求項３１
【補正方法】変更
【補正の内容】
【請求項３１】  請求項２９に記載の薬剤組成物であって、病状、疾患または臨床状態が、精神障害、ホルモン性状態、代謝により誘発された脳外傷、亜硫酸オキシダーゼ欠損症、肝不全に関連する肝性脳症、嘔吐、けい性、耳鳴り、痛みならびに薬剤の乱用および禁断からなる群より選択される薬剤組成物。
【手続補正１６】
【補正対象書類名】明細書
【補正対象項目名】請求項３２
【補正方法】変更
【補正の内容】
【請求項３２】  請求項３０に記載の薬剤組成物であって、病状、疾患または臨床状態が、精神障害、ホルモン性状態、代謝により誘発された脳外傷、亜硫酸オキシダーゼ欠損症、肝不全に関連する肝性脳症、嘔吐、けい性、耳鳴り、痛みならびに薬剤の乱用および禁断からなる群より選択される薬剤組成物。
【手続補正１７】
【補正対象書類名】明細書
【補正対象項目名】請求項３３
【補正方法】変更
【補正の内容】
【請求項３３】  請求項１に記載の化合物または薬剤的に受容しうるその塩を含む、神経損傷に関するあらゆる病状の治療用薬剤組成物。
【手続補正１８】
【補正対象書類名】明細書
【補正対象項目名】請求項３４
【補正方法】変更
【補正の内容】
【請求項３４】  請求項１２に記載の化合物または薬剤的に受容しうるその塩を含む、神経損傷に関するあらゆる病状の治療用薬剤組成物。
【手続補正１９】
【補正対象書類名】明細書
【補正対象項目名】請求項３５
【補正方法】変更
【補正の内容】
【請求項３５】  前記病状がアルツハイマー病、ハンチントン病、パーキンソン病、ウィルス（ＨＩＶを含む）により誘発される神経変性、筋萎縮性側索硬化症（ＡＬＳ）、核上性眼筋麻痺、オリーブ橋小脳萎縮症（ＯＰＣＡ）、ならびに環境上および外因性の神経毒の作用からなる群より選択される、請求項３３に記載の薬剤組成物。
【手続補正２０】
【補正対象書類名】明細書
【補正対象項目名】請求項３６
【補正方法】変更
【補正の内容】
【請求項３６】  前記病状がアルツハイマー病、ハンチントン病、パーキンソン病、ウィルス（ＨＩＶを含む）により誘発される神経変性、筋萎縮性側索硬化症（ＡＬＳ）、核上性眼筋麻痺、オリーブ橋小脳萎縮症（ＯＰＣＡ）、ならびに環境上および外因性の神経毒の作用からなる群より選択される、請求項３４に記載の薬剤組成物。
【手続補正２１】
【補正対象書類名】明細書
【補正対象項目名】請求項３７
【補正方法】変更
【補正の内容】
【請求項３７】  請求項１に記載の化合物または薬剤的に受容しうるその塩を含む、不整脈の治療用薬剤組成物。
【手続補正２２】
【補正対象書類名】明細書
【補正対象項目名】請求項３８
【補正方法】変更
【補正の内容】
【請求項３８】  請求項１２に記載の化合物または薬剤的に受容しうるその塩を含む、不整脈の治療用薬剤組成物。
【手続補正２３】
【補正対象書類名】明細書
【補正対象項目名】請求項３９
【補正方法】変更
【補正の内容】
【請求項３９】  請求項１に記載の化合物または薬剤的に受容しうるその塩を含む、てんかんの治療用薬剤組成物。
【手続補正２４】
【補正対象書類名】明細書
【補正対象項目名】請求項４０
【補正方法】変更
【補正の内容】
【請求項４０】  請求項１２に記載の化合物または薬剤的に受容しうるその塩を含む、てんかんの治療用薬剤組成物。